(57)【要約】 【課題】検知機器の保全情報を効率よく送受信し、頻繁に走行する自動車の重さにも充分に耐えられる強度を持つマンホール蓋用アンテナを提供する。【解決手段】鋳鉄製マンホール蓋１に載置する非磁性部材４内に、上層側には該鋳鉄製マンホール蓋１の摘み孔５に出入自在な給電ケーブル６を一側に接続した平面形状のアンテナ部材７を埋設しまた下層側には該アンテナ部材から離隔した位置に磁石部材８を埋設したマンホール蓋用アンテナである。【選択図】図１
0003149300.tif 000002
【実用新案登録請求の範囲】
【請求項１】
鋳鉄製マンホール蓋に載置する非磁性部材内に、上層側には該鋳鉄製マンホール蓋の摘
み孔に出入自在な給電ケーブルを一側に接続した平面形状のアンテナ部材を埋設しまた下層側には前記した平面形状のアンテナ部材位置から離隔しかつ鋳鉄製マンホール蓋に吸着
する磁石部材を埋設して構成した事を特徴とする鋳鉄製マンホール蓋用送受信アンテナ。
【考案の詳細な説明】
【技術分野】
【０００１】
本考案は地下に埋設された上水道管、下水道管、ガス管、電気、通信ケーブルなどの保守情報を検知するマンホール内の検知機器と地上の監視機器とをマンホール蓋を介して無線通信を行う際に利用される鋳鉄製マンホールの蓋に設置する送受信用アンテナに関するものである。
【背景技術】
【０００２】
車道や歩道や花壇などの地下には人が生活するために埋設された上水道管、下水道管、ガス管、通信ケーブルなどの管理をするために、監視員が地上から出入りできる様な大きなマンホール（穴）から腕が出入りできる程度の小さなマンホールまで様々な大きさのマンホールが設けられ、さらに該マンホール内には上水道管の漏水、下水道の通水漏れ、ガス管のガス漏れ、通信ケーブルの断線など異常状態の情報を検知する無線機の検知機器を設置し、該検知情報を送受信するマンホール用アンテナを介して監視する無線機の監視機器を地上に設置して構成される無線通信用システムが設けられている。マンホール内の検知機器と地上の監視機器との間には様々な構造の技術が開発され、例えば特開平９−２６１５８号公報は「地下の無線機と地上局との間の無線通信の電波通路において、マンホール蓋と導電性の該蓋受け部との間に絶縁部材を介して、マンホール蓋を支持する無線通信用マンホール蓋」、特開平１１−６６４８４号公報は「地導体部及び給電線を有するアンテナをマンホール用の蓋に取り付けたアンテナ装置において、マンホールの一部の表面に設けた凹部に貫通孔を設けたマンホール用の蓋と、該貫通孔を通る給電線を接続しかつ前記した凹部に設置する平板基板アンテナからなるマンホール蓋」、実用新案登録第３０６１７１５号は「マンホールに設置されて各種のセンサーから測定値を入力する計測ユニットと、該計測ユニットに接続しかつマンホール蓋の穴内から電磁波を放射するアンテナを有して電磁波に変調する通信ユニットからなる現場情報処理装置、通信ユニットさらに測定値を受信する管理コンピュータの中央処理装置からなるマンホールの遠隔監視装置」などがある。またマンホール内で検知された情報を地上の監視機器（中央処理装置）に送受信するアンテナについても、例えば特開平５−２２７０７３号公報の「マンホール蓋の一部である誘導体に埋め込まれたダイポールアンテナ」や特開２００３−１４２９０９号公報の「マンホール蓋に形成された凹部にアンテナを収納し、その上部を誘電体製カバーで覆いかつマンホール蓋の表面側から該蓋と誘電体製カバーとを固定したマンホールアンテナ」など、各種の形状や構造で取り付けられている。
【０００３】
上記の様な通信システムによれば都市の美観を損ねる事がなく、マンホール内の情報検知器と地上の監視機器とを有線ケーブルで接続する必要がないので設置コストの低減化と監視員の保全作業が簡単である。またマンホール蓋の強度を低下させる事もなく、道路表面に近接したマンホールアンテナによって電波を照射する事ができるため性能劣化がないなどの利点から、多く利用される傾向にある。
【０００４】
しかしながら、特開平７−１４３６３１号公報や上記した特開平１１−６１８６７号公報などの様にアンテナをマンホール内に設置する事は、送受信性能を若干低下する問題があった。また特開平１１−６６４８４号公報や上記した特開平５−２２７０７号公報や特開２００３−１４２９０９号公報などの様にマンホールの蓋に凹部を設けてアンテナを収容する構造は、マンホール蓋の製作上において厄介な作業を必要としまたマンホール蓋の強度を若干損なう問題があった。
【０００５】
【特許文献１】特開平９−２６１５８号
【特許文献２】特開平１１−６６４８４号
【特許文献３】特開平５−２２７０７３号
【特許文献４】特開２００３−１４２９０９号
【特許文献５】特開平７−１４３６３１
【特許文献６】特開平１１−６１８６７号
【特許文献７】特開平５−２２７０７号
【特許文献８】実用新案登録第３０６１７１５号
【考案の開示】
【考案が解決しようとする課題】
【０００６】
本考案は、上記した従来の問題を解決する事を目的に種々検討した結果から創作されたもので、地下に埋設された上水道管などの保全情報を検知する検知機器と地上の監視機器とをマンホール蓋を介して無線通信する際にマンホールの蓋に設置しかつ検知機器から発信される保全情報の検知信号を低下させる事なく確実に送受信し、また頻繁に走行する自動車の重さにも充分に耐えられる様に製作されたマンホール蓋の強度を少しも損なう事がなく、歩道に設けられたマンホールの蓋に設置されても目立つ事もなくしかも歩行者が躓いて転ぶ事のない安全な鋳鉄製マンホール蓋用送受信アンテナを提供するものである。
【課題を解決するための手段】
【０００７】
上記した本考案の目的を達成したその要旨とは、鋳鉄製マンホール蓋に載置する非磁性部材内に、上層側には該鋳鉄製マンホール蓋の摘み孔に出入自在な給電ケーブルを一側に接続した平面形状のアンテナ部材を埋設しまた下層側には前記した平面形状のアンテナ部材位置から離隔しかつ鋳鉄製マンホール蓋に吸着する磁石部材を埋設して構成した鋳鉄製マンホール蓋用送受信アンテナである。
【考案の効果】
【０００８】
本考案の鋳鉄製マンホール蓋用送受信アンテナは、上記した様に、製造されたマンホール蓋の強度を少しも損なう事がなく着脱自在な構造でマンホールの蓋に目立つ事なく設置され、自動車をはじめ交通機関がマンホールの蓋の上を通過する際に所定の位置から外れてしまう恐れもなく、マンホール内に埋め込まれた上水道管などの保全情報を検知機器から地上の監視機器へ確実に伝送する効果を奏する。
【考案を実施するための最良の形態】
【０００９】
以下、本考案の鋳鉄製マンホール蓋用送受信アンテナについて図面を参照しながら詳細に説明する。
図１はマンホールの蓋に取り付けられた本考案の一実施例を示したもので、長手方向の断面図（ａ）とその横手方向Ｘ―Ｘ線断面図（ｂ）を示す。また図２はマンホールの蓋に取り付けられた本考案の他の一実施例を示したもので、長手方向の断面図（ａ）とその横方向Ｙ−Ｙ線断面図（ｂ）を示す。
図１（ａ）（ｂ）において１は鋳鉄製マンホールの蓋で、マンホールの地上表面に設置されたコンクリート製または鋳鉄製のマンホール蓋用受け枠２に嵌め込まれて設置される。鋳鉄製マンホール蓋１は、自動車をはじめ車両が蓋の上を走行する際にマンホール蓋受け枠２から外れない様に、充分な重さと強固でかつ重量のある鋳鉄製で製作されている。３は、本考案の送受信用アンテナである。送受信用アンテナ３は、鋳鉄製マンホール蓋１に設置する非磁性部材４の内部に、上層側には鋳鉄製マンホール蓋１に設けられた孔つまり該鋳鉄製マンホール蓋１を引き開けるためにかぎ型のバールキーと呼ばれる工具などを挿入する摘み孔５に出入自在な給電ケーブル６を一側に接続した平面形状のアンテナ部材７を埋設し、下層部には前記した平面形態のアンテナ部材７から離隔しかつ鋳鉄製マンホール蓋１に吸着する磁石部材８を埋設して構成されている。すなわち、本考案の鋳鉄製マンホール用送受信アンテナは、磁石部材８で鋳鉄製マンホール蓋１上でしっかりと動かぬ様に固定し、非磁性部材４でアンテナ部材７の形状変形や損傷を防止しつつ、マンホール内の検知機器から発信する保守情報を確実に受信しさらに地上の監視機器に送信しようとする構造に設けられている。尚、非磁性部材４にはアンテナ部材７の電磁波を妨害しない非磁性材料例えば強化プラスチック、耐火物材料、雲母、石質素材などを任意な形状に成形した部材を使用し、磁石部材８には鋳鉄材を吸い付ける物質例えばＫＳ磁石（コバルト−クロム−タングステン−鉄）の如き永久磁石材料やゴムにフェライト粉末を混ぜたラバーマグネット材料など多くの種類の磁石材料が使用される。
【００１０】
図２（ａ）（ｂ）は、鋳鉄製マンホール蓋１の摘む孔５に該鋳鉄製マンホール蓋１を引き開けるためのコの字型の取っ手９を取り付けた場合の実施例を示す。
【００１１】
また本考案において非磁性部材４の断面形状は特に限定するものでないが、図１および図２で示す様に自動車などの車輪が円滑に乗り越える様に端部を弧状面に成形する事が好ましい。さらに非磁性部材４のマンホール蓋吸着側には、自動車などが繰り返し乗り越える際に起こる衝撃をやわらげるために、衝撃吸着シートを貼り付けてもよい。さらにまた本考案の送受信アンテナ３は、走行する自動車などの強い衝撃を受けてマンホール蓋の設置面から離脱するのを防止するために、図１（ａ）および図２（ａ）で示す様に、非磁性部材４とマンホール蓋１をまた非磁性部材４と取っ手９を締結バンド１０で堅締してもよい。
【００１２】
上記の様に構成された本考案の鋳鉄製マンホール蓋用送受信アンテナは、前記した従来から使用されているマンホールアンテナと同様にマンホールの蓋に設置し、地下に埋設された上水道管などの保守情報を検知するマンホール内の検知機器と地上の監視機器とを無線通信を行う。
【産業上の利用可能性】
【００１３】
本考案の鋳鉄製マンホール蓋用送受信アンテナは、マンホール内に設置する従来のマンホールアンテナとは異なり、マンホールの外つまり屋外に設置し使用するため保守情報を確実に送信できる特徴がある。従って、今後利用される可能性は高い。
【図面の簡単な説明】
【００１４】
【図１】マンホールの蓋に取り付けられた本考案の一実施例を示したもので、長手方向の断面図（ａ）とその横手方向Ｘ―Ｘ線断面図（ｂ）を示す。
【図２】マンホールの蓋に取り付けられた本考案の他の一実施例を示したもので、長手方向の断面図（ａ）とその横手方向Ｙ―Ｙ線断面図（ｂ）を示す。
【符号の説明】
【００１５】
１  鋳鉄製マンホール蓋
２  鋳鉄製マンホール蓋受け枠
３  送受信アンテナ
４  非磁性部材
５  摘み孔
６  給電ケーブル
７  アンテナ部材
８  磁石部材
９  取っ手
１０  締結バンド
【図１】
0003149300.tif 000003
【図２】
0003149300.tif 000004